(57)【特許請求の範囲】
【請求項１】
一端にトランペット頭を有する平行ネジ部と該平行ネジ部に連設してテーパネジ部を有し、且つ、先端部にテーパビット部を設けて成るドリリングネジに於いて、該ドリリングネジは、前記テーパネジ部に連続して小径平行ネジ部が設けられ、該小径平行ネジ部の先端部に前記テーパビット部が設けられており、且つ、前記平行ネジ部から小径平行ネジ部へ連続するネジ山の高さ及びネジ部径が前記小径平行ネジ部において低下せしめて成り、該ドリリングネジを用いて石膏ボードを薄鋼板へ固定するとき、該ドリリングネジをインパクト形空気駆動ネジ締め機に装填し、該インパクト形空気駆動ネジ締め機のドライバによって該ドリリングネジを石膏ボードに打込み、該ドリリングネジのテーパビット部が該石膏ボードを貫通して薄鋼板に達し、更に、小径平行ネジ部が該薄鋼板を貫通して停止し、続いて、ドライバによってドリリングネジを回転せしめ、該薄鋼板に嵌合している前記小径平行ネジ部にてドリリングネジ山によって貫入方向の推進力を付与せしめ、次いで、前記テーパネジ部にて穴を拡大させ乍らタッピングし、更に、前記平行ネジ部が該薄鋼板を貫通し、トランペット頭が石膏ボードに進入して該トランペット頭の高さが該石膏ボードの表面と一致したとき前記ドライバの回転を停止せしめて石膏ボードを薄鋼板へ固定する施工方法。
【発明の詳細な説明】
【０００１】
【発明の属する技術分野】
この発明は、ドリリングネジを用いて薄鋼板に石膏ボードを固定する施工方法に関するものであり、特に、インパクト形空気駆動ネジ締め機によってドリリングネジを打設及び螺回せしめることにより石膏ボードを薄鋼板に固定する施工方法に関するものである。
【０００２】
【従来の技術】
ドライバによってネジを或程度打込んだ後に回転して締結するインパクト形空気駆動ネジ締め機は、回転動作のみの動力ドライバよりもネジ締め作業の能率を大幅に向上することができる。
【０００３】
しかしながら、一般に軽天と称呼される０．５mmまたは０．８mmの厚さの鋼板を成形したＣ形鋼板構造材へ石膏ボードを固定する場合に、インパクト形空気駆動ネジ締め機によって鋼板用ドリリングネジを締結すると、先に締結したネジが次のネジの打ち込み時の衝撃によって弛緩したり、石膏ボードに沈み込むという問題がある。特に、図４に示すように、Ｃ形鋼板構造材１上に二枚の石膏ボード２，３を突合わせて夫々の石膏ボード２，３にネジ４，５を締結する場合は、Ｃ形鋼板構造材１の板厚が薄いことから、同図に示すように、打ち込み時の衝撃によりＣ形鋼板構造材１の変形や振動が発生し、先に締結したネジ４が石膏ボード２に沈み込み、石膏ボード２の被覆紙６を破断して荷重耐力が低下したり、図５に示すように、先に締結したネジ４とＣ形鋼板構造材１との結合部のネジ山７が変形或いは損傷して締結力が低下し、ネジ４が弛緩することになる。従って、Ｃ形鋼板構造材に石膏ボードを固定する作業にはインパクト形空気駆動ネジ締め機は使用されず、回転動作のみの動力ドライバが使用される。
【０００４】
【発明が解決しようとする課題】
従来からＣ形鋼板構造材等の金属板へ石膏ボードを固定する際のネジ止め作業の能率向上が要望されている。そこで、石膏ボード並びにＣ形鋼板構造材へドリリングネジを打ち込んだ後、該ドリリングネジを回転させて該ドリリングネジをＣ形鋼板構造材へ締着する際、該ドリリングネジに推進力を発生させて鋼板の変形により発生する荷重耐力並びに締結力の低下を解消し、インパクト形空気駆動ネジ締め機によるネジ止め作業を効率良く施工できるようにするために解決すべき技術的課題が生じてくるのであり、本発明は上記課題を解決することを目的とする。
【０００５】
【課題を解決するための手段】
この発明は、上記目的を達成するために提案せられたものであり、一端にトランペット頭を有する平行ネジ部と該平行ネジ部に連設してテーパネジ部を有し、且つ、先端部にテーパビット部を設けて成るドリリングネジに於いて、該ドリリングネジは、前記テーパネジ部に連続して小径平行ネジ部が設けられ、該小径平行ネジ部の先端部に前記テーパビット部が設けられており、且つ、前記平行ネジ部から小径平行ネジ部へ連続するネジ山の高さ及びネジ部径が前記小径平行ネジ部において低下せしめて成り、該ドリリングネジを用いて石膏ボードを薄鋼板へ固定するとき、該ドリリングネジをインパクト形空気駆動ネジ締め機に装填し、該インパクト形空気駆動ネジ締め機のドライバによって該ドリリングネジを石膏ボードに打込み、該ドリリングネジのテーパビット部が該石膏ボードを貫通して薄鋼板に達し、更に、小径平行ネジ部が該薄鋼板を貫通して停止し、続いて、ドライバによってドリリングネジを回転せしめ、該薄鋼板に嵌合している前記小径平行ネジ部にてドリリングネジ山によって貫入方向の推進力を付与せしめ、次いで、前記テーパネジ部にて穴を拡大させ乍らタッピングし、更に、前記平行ネジ部が該薄鋼板を貫通し、トランペット頭が石膏ボードに進入して該トランペット頭の高さが該石膏ボードの表面と一致したとき前記ドライバの回転を停止せしめて石膏ボードを薄鋼板へ固定する施工方法を提供するものである。
【０００６】
上記石膏ボードを薄鋼板に重ね、そして、該石膏ボードの上面より上記ドリリングネジをインパクト形空気駆動ネジ締め機により打入締結するとき、該インパクト形空気駆動ネジ締め機のドライバにて該ドリリングネジのトランペット頭を打撃し乍ら該ドリリングネジを叩入する。このとき、該ドリリングネジの先端部位が該石膏ボードを貫通し、更に、該薄鋼板へ貫入するのであるが、該ドリリングネジの先端部の鋭利なテーパビット部は該薄鋼板へ貫通抵抗が少なくして貫入できると共に、続いて該薄鋼板へ貫入して停止する小径平行ネジ部は平行且つ、小径であってネジ山の高さも低く形成されているので、該小径平行ネジ部が該薄鋼板へ貫入するとき該薄鋼板の変形や振動が低減する。
【０００７】
又、該小径平行ネジ部が該薄鋼板に貫入停止した後、前記インパクト形空気駆動ネジ締め機のドライバにより、該ドリリングネジを回転させ乍ら螺入するとき、前記小径平行ネジ部が平行且つ、小径であってネジ山の高さも低く形成されているので、該小径平行ネジ部の微少なネジ山は貫通方向への推進力を発生させ、更に、テーパネジ部によって、該小径平行ネジ部にて形成された穴を拡大させ乍らタッピングする。続いて、平行ネジ部が該薄鋼板を貫通して該薄鋼板へ締着するとき、前記インパクト形空気駆動ネジ締め機に貫入方向への強い圧力を加えなくても該ドリリングネジは空回りすることなく推進し、更に、石膏ボードのタッピング孔を破壊することもない。
【０００８】
【発明の実施の形態】
以下、この発明の実施の形態を図に従って詳述する。図１に示すように、ドリリングネジ１１はトランペット頭１２を有し、十字穴或いは六角穴を設けたトランペット頭１２を戴いた平行ネジ部１３の下部はテーパネジ部１４を経由して小径平行ネジ部１５に連続している。小径平行ネジ部１５の先端には円錐形のテーパビット部１６が形成されており、テーパビット部１６のテーパ角度は２０度と狭く、鋭利な形状に成形して薄鋼板への貫通抵抗を減少させている。
【０００９】
同図に示すドリリングネジ１１の寸法は全長２５mm、トランペット頭１２の外径は８mm、平行ネジ部１３は外径３．５５mm、小径平行ネジ部１５は外径１．８mmである。
【００１０】
平行ネジ部１３からテーパネジ部１４を経由して小径平行ネジ部１５に至る二条ネジ山１７は、テーパネジ部１４において３０度のテーパ角度で平行ネジ部１３と小径平行ネジ部１５に接続している。そして、該小径平行ネジ部１５は平行且つ、小径であってネジ山の高さも減少して０．１mm程度と極めて低く形成され、薄鋼板への貫通抵抗を可及的に抑制しつつ、打ち込み後の回転時に推進力を発生させるように形成されている。
【００１１】
このドリリングネジ１１をインパクト形空気駆動ネジ締め機に装填してＣ形鋼板構造材に厚さ９．５mm又は１２．５mmの石膏ボードをネジ止めする際は、図２に示すように該インパクト形空気駆動ネジ締め機（図示せず）のドライバによってドリリングネジ１１が石膏ボード２に打ち込まれ、テーパビット部１６がＣ形鋼板構造材１に穴を開穿し、小径平行ネジ部１５がＣ形鋼板構造材１を貫通して停止する。
【００１２】
続いて、ドライバによってドリリングネジ１１が回転され、そして、Ｃ形鋼板構造材１に嵌合している小径平行ネジ部１５は前述したように平行且つ、小径であってネジ山の高さも０．１mm程度と極めて低く形成されているので、該小径平行ネジ部１５の微少なネジ山によってドリリングネジ１１に貫入方向の推進力が発生し、テーパネジ部１４によって穴を拡大しつつタッピングする。
【００１３】
そして、平行ネジ部１３がＣ形鋼板構造材１を貫通し、トランペット頭１２が石膏ボード１に進入することにより推進抵抗が増加し、図３に示すように、トランペット頭１２の高さが石膏ボード２の表面とほぼ同一となって回転を停止する。
【００１４】
【実施例】
従来例として説明した図４及び図５と同様な条件で、Ｃ形鋼板構造材１上に二枚の石膏ボードを突合わせて夫々の石膏ボードにドリリングネジ１１を締結する実験を行った結果を表１に示す。
【００１５】
【表１】
0003679867.tif 000002
【００１６】
ドリリングネジ１１のテーパネジ部１４は鋭利であり、小径平行ネジ部１５が１．８mmと小径なため、該ドリリングネジをインパクト形空気駆動ネジ締め機のドライバにて打ち込む際にＣ形鋼板構造材１は殆ど変形せず、先に締めつけたドリリングネジ１１が石膏ボード２に沈下することが殆ど無い。又、剥離紙６の破損やネジ浮きは発生せず、先に打ち込んだドリリングネジ１１の弛緩トルクの低下量も１．４kgf ・cm以下と、従来のドリリングネジを打ち込んだ場合より大幅に減少するとともに、ネジを打ち込まず電動ドライバによって締結する従来の方法以上の弛緩トルク値５．０kgf ・cm以上という弛緩耐力が得られた。
【００１７】
又、小径平行ネジ部１５の外径を２．１mmに拡大したドリリングネジ１１をインパクト形空気駆動ネジ締め機によって締結する実験を行った結果は、電動ドライバによって締結する従来の方法の弛緩トルク値３．０kgf ・cmを下回り、０．５mm又は０．８mmの厚さのＣ形鋼板構造材に対しては、打ち込み時の衝撃を抑制するために小径平行ネジ部１５の外径を１．８mm以下に成形することが有効であることが確認された。
【００１８】
尚、本発明は、本発明の精神を逸脱しない限り種々の改変を為すことができ、そして、本発明が該改変されたものに及ぶことは当然である。
【００１９】
【発明の効果】
本発明は上記一実施の形態にて詳述したように、石膏ボードを薄鋼板に固定するときに用いるドリリングネジは、トランペット頭を有する平行ネジ部に連続してテーパネジ部が設けられており、更に、該テーパネジ部に連続して小径平行ネジ部が設けられ、該小径平行ネジ部の先端部にテーパビット部が設けられ、且つ、前記平行ネジ部から小径平行ネジ部へ連続するネジ山の高さ及びネジ部径が該小径平行ネジ部において低下されて成るものである。そこで、該石膏ボードを該薄鋼板へ重ね、そして、該石膏ボードの上面より前記ドリリングネジをインパクト形空気駆動ネジ締め機により打入締結するとき、該インパクト形空気駆動ネジ締め機のドライバにて該ドリリングネジのトランペット頭を打撃し乍ら該ドリリングネジを叩入する。このとき、該ドリリングネジの先端部位が該石膏ボードを貫通し、更に、該薄鋼板へ貫入するものであるが、該ドリリングネジの先端部の鋭利なテーパビット部は該薄鋼板へ貫通抵抗が少なくして貫入できると共に、続いて該薄鋼板へ貫入して停止する小径平行ネジ部は平行、且つ、小径であってネジ山の高さが低く形成されているので、該小径平行ネジ部が該薄鋼板へ貫入するとき該薄鋼板の変形や振動が低減する。
又、該小径平行ネジ部が該薄鋼板に貫入停止した後、前記インパクト形空気駆動ネジ締め機のドライバにより、該ドリリングネジを回転させ乍ら螺入するとき、前記小径平行ネジ部が平行且つ、小径であってネジ山の高さも極めて低く形成されているため、該小径平行ネジ部の微少なネジ山は貫通方向への推進力を発生させ、更に、テーパネジ部によって該小径平行ネジ部にて形成された穴を拡大させ乍らタッピングする。続いて、平行ネジ部が該薄鋼板を貫通して該薄鋼板へ締着するとき、前記インパクト形空気駆動ネジ締め機に貫入方向への強い圧力を加えなくても該ドリリングネジは空回りすることなく推進し、更に、該ドリリングネジのトランペット頭が石膏ボードに進入することにより、推進抵抗が増大し、そして、該トランペット頭の高さが該石膏ボードの表面と略一致したとき、前記ドライバの回転を停止せしめて該石膏ボードを薄鋼板に効率良く固定することが可能となるのである。
斯くの如く、本発明のドリリングネジは、インパクト形空気駆動ネジ締め機によって薄鋼板へ打ち込む際の衝撃による該薄鋼板の変形や振動を可及的に減少させたので、石膏ボード並びに薄鋼板へドリリングネジを打ち込むことによる荷重耐力並びに締結力の低下が解消され、依って、インパクト形空気駆動ネジ締め機によるネジ止め作業が効果的に施工せられる。又、従来のスクリュードライバによる施工に比べて引抜耐力が向上するとともに、施工時のネジの回転数が少ないため石膏ボードからの石膏粉の排出量が少なく、作業効率が向上する。
【図面の簡単な説明】
【図１】本発明のドリリングネジの正面図。
【図２】図１のドリリングネジをインパクト形空気駆動ネジ締め機により石膏ボード並びにＣ形薄鋼板へ締結する解説図であり、打込み時の状態を示す断面図。
【図３】図２の状態からドリリングネジを回転させて締結した状態を示す断面図。
【図４】従来のドリリングネジをインパクト形空気駆動ネジ締め機により石膏ボード並びにＣ形薄鋼板へ締結する解説図であり、石膏ボードの被覆紙の破壊を示す断面図。
【図５】従来のドリリングネジをインパクト形空気駆動ネジ締め機により石膏ボード並びにＣ形薄鋼板へ締結する解説図であり、鋼板の嵌合部の破壊を示す断面図。
【符号の説明】
１          Ｃ形鋼板構造材
２，３      石膏ボード
１１          ドリリングネジ
１２          トランペット頭
１３          平行ネジ部
１４          テーパネジ部
１５          小径平行ネジ部
１６          テーパビット部
１７          二条ネジ山
【図１】
0003679867.tif 000003
【図２】
0003679867.tif 000004
【図３】
0003679867.tif 000005
【図４】
0003679867.tif 000006
【図５】
0003679867.tif 000007